(57)【要約】【課題】冷蔵庫本体底面と床との空間が少なく把手部を握る手の入るスペースが不十分で、下方に突出する把手部の配置が困難な場合に適し、また冷蔵庫の幅寸法が奥行き寸法よりも大きい場合冷蔵庫を横倒しにして運搬するための把手部を有する冷蔵庫を提供することを目的とする。【解決手段】この発明に係る冷蔵庫は、鋼板製の外箱と、樹脂製の内箱と、前記外箱と前記内箱との間に充填される断熱材とからなる断熱箱体を備えた冷蔵庫において、断熱箱体の底面は、底板５０と底板５０の側部に取り付けられる側桁５１とを有し、側桁５１を床側に延出して略Ｌ字に内側に曲げて水平部を形成し、側桁５１の水平部に冷蔵庫の運搬時の把手部２を設けたことを特徴とする。【選択図】図３
2009074747.tif 000002
【特許請求の範囲】
【請求項１】
鋼板製の外箱と、樹脂製の内箱と、前記外箱と前記内箱との間に充填される断熱材とからなる断熱箱体を備えた冷蔵庫において、
前記断熱箱体の底面は、底板と該底板の側部に取り付けられる側桁とを有し、
前記側桁を床側に延出して略Ｌ字に内側に曲げて水平部を形成し、
前記側桁の前記水平部に当該冷蔵庫の運搬時の把手部を設けたことを特徴とする冷蔵庫。
【請求項２】
前記側桁の前記水平部は、床および前記底板との間に持ち手の入る所定の空間が形成される構成としたことを特徴とする請求項１記載の冷蔵庫。
【請求項３】
前記把手部を、前記側桁の前記水平部の先端を所定の形状に曲げて形成したことを特徴とする請求項１又は請求項２記載の冷蔵庫。
【請求項４】
前記把手部に当該冷蔵庫の重量が加わる当接部を設け、前記当接部の断面形状を所定の半径以上の略円形になるように構成したことを特徴とする請求項３記載の冷蔵庫。
【請求項５】
前記把手部を樹脂製の別部品で構成し、前記側桁の前記水平部及び前記底板と前記側桁の前記水平部との間に嵌めこむことを特徴とする請求項１又は請求項２記載の冷蔵庫。
【請求項６】
前記別部品の把手部を、断熱材の発泡時の圧力によって前記底板と前記側桁との間に固定することを特徴とする請求項５記載の冷蔵庫。
【発明の詳細な説明】
【技術分野】
【０００１】
この発明は、冷蔵庫に関する。詳しくは、冷蔵庫底面部にて、床と冷蔵庫本体底面との空間が少なく把手部を握る手の入るスペースが不十分で、且冷蔵庫の幅寸法より冷蔵庫の奥行き寸法の方が小さい場合の運搬用の底面把手部に関するものである。
【背景技術】
【０００２】
従来の冷蔵庫は、冷蔵庫本体底面の奥行き方向に、台板と底板をつなぐように金属製で両端をつぶした金属製の金属棒を取り付けることにより運搬用の把手部として機能を持たせている（例えば、特許文献１参照）。
【特許文献１】特開２００２−２７７１４８号公報
【発明の開示】
【発明が解決しようとする課題】
【０００３】
従来の冷蔵庫の把手部は、冷蔵庫底面に本体底面と床との間に持ち手の入るスペースがあり、そのスペースを使って台板と底板とをつなぐ金属棒にて把手部を形成している。しかし、本体底面と床とのクリアランスを確保するため、本体内部（庫内）の容積を小さくしたり、本体の高さが高くなり背の低い人には冷蔵庫の上側のスペースが使いづらくなるという課題があった。
【０００４】
また金属棒を台板及び底板に取り付けるために、ネジが必要である。また、金属棒を台板及び底板に取り付ける作業に伴う加工費用が必要である。従って、冷蔵庫が高価になるという課題があった。
【０００５】
この発明は、上記のような課題を解決するためになされたもので、冷蔵庫本体底面と床との空間が少なく把手部を握る手の入るスペースが不十分で、下方に突出する把手部の配置が困難な場合に適し、また冷蔵庫の幅寸法が奥行き寸法よりも大きい場合冷蔵庫を横倒しにして運搬するための把手部を有する冷蔵庫を提供することを目的とする。
【課題を解決するための手段】
【０００６】
この発明に係る冷蔵庫は、鋼板製の外箱と、樹脂製の内箱と、前記外箱と前記内箱との間に充填される断熱材とからなる断熱箱体を備えた冷蔵庫において、
断熱箱体の底面は、底板と該底板の側部に取り付けられる側桁とを有し、
側桁を床側に延出して略Ｌ字に内側に曲げて水平部を形成し、
側桁の水平部に当該冷蔵庫の運搬時の把手部を設けたことを特徴とする。
【発明の効果】
【０００７】
この発明に係る冷蔵庫は、側桁の水平部に冷蔵庫の運搬時の把手部を設けたので、床と冷蔵庫底面との空間が少なく人の手の入る空間が不十分な場合にも把手部を配置することができ、部品点数を増やすことなく運搬機能を果たすことが出来る。
【発明を実施するための最良の形態】
【０００８】
実施の形態１．
図１乃至図３、図６は実施の形態１を示す図で、図１は冷蔵庫１００の縦断面図、図２は冷蔵庫１００の底面側から見た斜視図、図３は図２のＡ−Ａ断面図、図６は、運搬時のイメージ図である。また、図４、図５は比較のために示す参考図で、図４は冷蔵庫１００の底面側から見た斜視図、図５は図４のＢ−Ｂ断面図である。
【０００９】
先ず図１により、冷蔵庫１００の全体構成を説明する。本実施の形態は、冷蔵庫１００の底面部に設けた把手部に特徴がある。図１では底面部に設けた把手部は見えていない。従って、以下の説明は公知の冷蔵庫１００の構成であり、詳しくは説明しない。
【００１０】
断熱箱体１は、樹脂製の内箱４０と、鋼板製の外板４１と、内箱４０及び外板４１等（底板、背面板）との間の空間に充填された断熱材４２とで構成される。外板４１、底板、及び背面板を外箱という。断熱箱体１の前面部は開口している。断熱箱体１の内部は第１の仕切り４５、第２の仕切り４６、第３の仕切り４７で仕切られている。
【００１１】
第１の仕切り４５の上に形成される室は、例えば冷蔵室２７である。冷蔵室２７の開口部は、冷蔵室扉２７ａで開閉自在に閉塞されている。
【００１２】
第１の仕切り４５と第２の仕切り４６との間に形成される室は、例えば製氷室及び切替室である。図１では切替室２８を示している。切替室２８の開口部は引出式の切替室扉２８ａで開閉自在に閉塞されている。
【００１３】
第２の仕切り４６と第３の仕切り４７との間に形成される室は、例えば野菜室２９である。野菜室２９の開口部は、引出式の野菜室扉２９ａで開閉自在に閉塞されている。
【００１４】
第３の仕切り４７の下方の室は、例えば冷凍室３０である。冷凍室３０の開口部は、引出式の冷凍室扉３０ａで開閉自在に閉塞されている。
【００１５】
冷却室７０が、断熱箱体１の内部の背面下部に形成されている。冷却室７０には、冷媒と空気が熱交換して冷気を生成する冷却器２０が設けられる。冷却器２０で生成された冷気を冷蔵庫１００の各室へ循環させる送風機２３が、冷却器２０の上に設置される。また冷却器２０の下にヒータ２５が設けられる。ヒータ２５は、冷却器２０に付いた霜を溶かす。霜が溶けた除霜水が直接ヒータ２５にかからないようにカバ−２６がヒータ２５の上に設置されている。
【００１６】
断熱箱体１の外部で、冷却室７０の下方に冷凍サイクルの冷媒を圧縮する圧縮機１４が配置される。圧縮機１４は、台板１１の上に載置される。
【００１７】
断熱箱体１の底面に把手部２（後述する）が設けられる。断熱箱体１の底面の前面側に、板金製の前桁３が設けられている。
【００１８】
また、前桁３の左右には調節足部４が設けられている。調節足部４には上下に稼動可能なネジ部５が設けられている。
【００１９】
調節足部４及び台板１１には、それぞれ移動用ローラ１２、移動用ローラ１３が左右に２個設けられる。
【００２０】
冷蔵庫１００の底面は、外板４１、底板５０及び内箱４０により密閉された空間に断熱材４２が封入されて断熱箱体１の底部を形成している。
【００２１】
図２は冷蔵庫１００の底面側から見た斜視図である。冷蔵庫１００の底面の背面側は、圧縮機１４を載置する台板１１で構成される。台板１１の裏側（床側）には、移動用ローラ１３が左右に２個取付られている。
【００２２】
冷蔵庫１００の底面の扉側は、底板５０で構成される。さらに、底板５０の前面側に板金製の前桁３が設けられている。
【００２３】
前桁３の左右に、２個の調節足部４が設けられている。調節足部４には上下に稼動可能なネジ部５がそれぞれ設けられている。
【００２４】
調節足部４には、それぞれ移動用ローラ１２が左右に２個設けられている。
【００２５】
さらに、底板５０の左右側部には、側桁５１が取り付けられている。
【００２６】
図３は図２のＡ−Ａ断面図であり、一方の側桁５１付近の断面形状を示している。図３に示すように、側桁５１を床側に延出して略Ｌ字に内側に曲げて水平面を形成し、底板５０と側桁５１との間に持ち手の入る空間Ａを設けている。断面Ｌ字状の側桁５１の水平面（水平部ともいう）と底板５０との間に空間Ａを設けている。
【００２７】
側桁５１のＬ字の水平面の先端を、底板５０側に、断面が略円形あるいは略楕円形になるように曲げて、把手部２を形成する。把手部２の周りの空間は、水平面を除き、把手部２を中心として、空間Ａも含めて軍手をした手の入る半径２０ｍｍ程度の空間になっている。すなわち、床と側桁５１の水平面との間も２０ｍｍ程度ある。把手部２と底板５０との間も、どの方向にも２０ｍｍ程度ある。
【００２８】
従って、冷蔵庫１００の運搬時に軍手をした手を床と側桁５１との間から入れ、把手部２を持つことができる。
【００２９】
冷蔵庫１００の運搬は、通常２人で行う。１人は冷蔵庫１００上部の冷蔵室扉２７ａの角と断熱箱体１後端を持つ。他の１人は、その対角の冷蔵庫１００底面の把手部２を持つことになる（図６を参照）。
【００３０】
冷蔵庫１００は圧縮機１４が下部に位置するため、重心が下部にある。そのため把手部２を持つ人の手には、相当の重量が加わる（約１００ｋｇ）。そのため、把手部２の人の手に当たる当接部２ａを、断面形状が半径４ｍｍ以上の略円形になるようにしている。
【００３１】
本実施の形態における把手部２の効果を述べる前に、比較のために従来の冷蔵庫１００について若干触れる。
【００３２】
図４は従来の冷蔵庫１００の底面側から見た斜視図である。図４に示すように、従来の冷蔵庫１００は、前後方向に金属製の金属棒６０が台板１１と底板５０を繋ぐように取付られている。運搬時はこの金属棒６０を持って行っていた。
【００３３】
従来の冷蔵庫１００は、上記のような構成であるから、図５に示すように、底面に底板５０と床との間に持ち手の入る空間Ｃがある。その空間Ｃに台板１１と底板５０とを繋ぐ金属棒６０を設けて把手部を形成している。底板５０と床との距離を、金属棒６０を設けることができるような寸法にする必要がある。そのため、本体内部（庫内、例えば冷凍室３０）の容積を小さくする。または、冷蔵庫１００の高さを、背の低い人には冷蔵庫の上側のスペースが使いづらくなるという課題があった。
【００３４】
また金属棒６０を、台板１１及び底板５０に取り付けるために、ネジが必要である。また、金属棒６０を台板１１及び底板５０に取り付ける作業に伴う加工費用が必要であるという課題もあった。
【００３５】
本実施の形態の冷蔵庫１００は、例えば、運搬時に間口として冷蔵庫１００の幅寸法が入らない扉等を通過する場合、図６に示すように、冷蔵庫１００の側面を下にして冷蔵庫を傾けつつ持ち上げて運搬する。この場合、１人は冷蔵庫１００の上部背面側角部と上部冷蔵室扉側角部を持つ。他の１人は対角の底面の把手部２を持つことになる。
【００３６】
以上のように、底面側の把手部２は、側桁５１と一体化に形成されている。そのため部品点数が従来の金属棒６０を使用する場合より減る。また組み立てに要する価格を低減できる。
【００３７】
また、把手部２を底板５０より高い位置に形成しているので、底板５０と床との距離を従来の冷蔵庫１００より小さくできる。それにより、例えば、冷凍室３０の内容積を大きくできる。或いは、冷蔵庫１００の高さを低くできる。
【００３８】
尚、把手部２は片側の側桁５１に設けてもよいし、両側の側桁５１に設けてもよい。把手部２を両側の側桁５１に設ける方が、運搬には便利である。
【００３９】
実施の形態２．
以上の実施の形態１では、把手部２を側桁５１と一体に形成するようにしたが、次に把手部を別部品として形成する実施の形態２を説明する。
【００４０】
図７は実施の形態２を示す図で、冷蔵庫１００の底面における側桁５１付近の断面図（図３に相当）である。
【００４１】
側桁５１を断面形状が略Ｌ字に形成する。側桁５１のＬ字の水平部との間に空間Ａを設ける。そして、断面形状が略コ字で、コ字の底辺に溝７ａを有する底面把手部品７（把手部の一例）を別部品として用意する。溝７ａも含めると、底面把手部品７の断面は、Ｓ字状あるいは己字状になる。底面把手部品７は、例えばポリプロピレン等の樹脂製である。
【００４２】
断熱材４２の充填前に、底面把手部品７の溝７ａを側桁５１のＬ字の水平部に嵌め込む。また、底面把手部品７を底板５０と側桁５１のＬ字の水平部との間（空間Ａ）に嵌め込む。
【００４３】
底面把手部品７を、断熱材４２の充填前に底板５０と側桁５１のＬ字の水平部との間（空間Ａ）に嵌め込み、ウレタン（断熱材）発泡を行う。ウレタンの発泡時の圧力によって底板５０が空間Ａを狭めるように作用するので、底面把手部品７は固定される。また、さらに、図７に示すように、底板５０は、底板５０の側面側の水平部から底板５０の中央に向かって下方への傾斜面を有しており、底面把手部品７は傾斜面に邪魔されて、底板５０と側桁５１のＬ字の水平部との間から（図７においては左側に）外れることがない。
【００４４】
底面把手部品７は別部品であるから、持ち手部の形態を自由に変えることが出来、より持ちやすい形状を作ることが出来る。
【００４５】
以上のように、底面把手部品７を別途樹脂部品にて形成しているので、運搬時の手に接触する部分を調整して持ち易くすることが出来、また断熱材４２側（空間Ａ）に底面把手部品７を埋め込むことで運搬時にかかる荷重に対する必要強度を保つことが出来る。また別部品である底面把手部品７に色付けや文字を形成することにより運搬時に持ち手の位置を運搬者に分かりやすくすることも出来る。
【図面の簡単な説明】
【００４６】
【図１】実施の形態１を示す図で、冷蔵庫１００の縦断面図。
【図２】実施の形態１を示す図で、冷蔵庫１００の底面側から見た斜視図。
【図３】実施の形態１を示す図で、図２のＡ−Ａ断面図。
【図４】比較のために示す参考図で、従来の冷蔵庫１００の底面側から見た斜視図。
【図５】比較のために示す参考図で、図４のＢ−Ｂ断面図。
【図６】実施の形態１を示す図で、運搬時のイメージ図。
【図７】実施の形態２を示す図で、冷蔵庫１００の底面における側桁５１付近の断面図（図３に相当）。
【符号の説明】
【００４７】
１  断熱箱体、２  把手部、３  前桁、４  調節足部、５  ネジ部、７  底面把手部品、１１  台板、１２  移動用ローラ、１３  移動用ローラ、１４  圧縮機、２０  冷却器、２１  ファン、２２  モータ、２３  送風機、２５  ヒータ、２６  カバ−、２７  冷蔵室、２７ａ  冷蔵室扉、２８  切替室、２８ａ  切替室扉、２９  野菜室、２９ａ  野菜室扉、３０  冷凍室、３０ａ  冷凍室扉、４０  内箱、４１  外板、４２  断熱材、４５  第１の仕切り、４６  第２の仕切り、４７  第３の仕切り、５０  底板、５１  側桁、６０  金属棒、７０  冷却室、１００  冷蔵庫。
【図１】
2009074747.tif 000003
【図２】
2009074747.tif 000004
【図３】
2009074747.tif 000005
【図４】
2009074747.tif 000006
【図５】
2009074747.tif 000007
【図６】
2009074747.tif 000008
【図７】
2009074747.tif 000009